(57)【要約】【課題】穀物を収容した収容器に関する容器情報を、穀物を処理する処理設備にて簡単に把握することができるようにする。【解決手段】穀物管理システムは、穀物を収容する収容器に取付けられ、且つ当該収容器に関する容器情報をブロードキャスト信号として外部に出力する第１通信装置と、穀物を処理する処理設備に設けられ且つ、第１通信装置から送信された容器情報を受信する受信部を有する第１受信装置と、を備えている。穀物管理システムは、第１受信装置が受信した容器情報である第１情報を外部に送信する第３通信装置を備えている。【選択図】図１
2018106302.tif 000002
【特許請求の範囲】
【請求項１】
穀物を収容する収容器に取付けられ、且つ当該収容器に関する容器情報をブロードキャスト信号として外部に出力する第１通信装置と、
前記穀物を処理する処理設備に設けられ且つ、前記第１通信装置から送信された容器情報を受信する受信部を有する第１受信装置と、
を備えている穀物管理システム。
【請求項２】
前記第１受信装置が受信した前記容器情報である第１情報を外部に送信する第３通信装置を備えている請求項１に記載の穀物管理システム。
【請求項３】
前記第３通信装置が送信した第１情報を取得し且つ取得した第１情報を時間と共に記憶する管理装置を備えている請求項２に記載の穀物管理システム。
【請求項４】
穀物を収容する収容器に取付けられ、且つ当該収容器に関する容器情報をブロードキャスト信号として外部に送信する第１通信装置と、
前記穀物を収穫する収穫機に設けられ且つ、前記第１通信装置から送信された容器情報を受信する受信部を有する第２受信装置と、
を備えている穀物管理システム。
【請求項５】
前記第２受信装置が受信した前記容器情報である第２情報を外部に送信する第４通信装置を備えている請求項４に記載の穀物管理システム。
【請求項６】
前記第４通信装置が送信した第２情報を取得し且つ取得した第２情報を時間と共に記憶する管理装置を備えている請求項５に記載の穀物管理システム。
【請求項７】
前記収穫機に設けられ且つ、前記収穫機で収穫した穀物の特性を測定する測定装置を備え、
前記第４通信装置は、前記測定装置で測定した穀物の特性を、前記第２受信装置が受信した前記容器情報と共に外部に送信する請求項５又は６に記載の穀物管理システム。
【請求項８】
前記管理装置は、前記第４通信装置が送信した穀物の特性及び前記容器情報を関連付けて記憶する請求項７に記載の穀物管理システム。
【請求項９】
穀物を収容する収容器に取付けられ、且つ当該収容器に関する容器情報をブロードキャスト信号として外部に送信する第１通信装置と、
前記穀物を処理する処理設備に設けられ且つ、前記第１通信装置から送信された容器情報を受信する受信部を有する第１受信装置と、
前記穀物を収穫する収穫機に設けられ且つ、前記第１通信装置から送信された容器情報を受信する受信部を有する第２受信装置と、
を備えている穀物管理システム。
【請求項１０】
前記第１受信装置が受信した第１情報を外部に送信する第３通信装置と、
前記第２受信装置が受信した第２情報を外部に送信する第４通信装置と、
を備えている請求項９に記載の穀物管理システム。
【請求項１１】
前記第３通信装置が送信した第１情報を取得し取得した第１情報を時間と共に記憶し、且つ、前記第４通信装置が送信した第２情報を取得し取得した第２情報を時間と共に記憶する管理装置を備えている請求項１０に記載の穀物管理システム。
【請求項１２】
前記収穫機に設けられ且つ、前記収穫機で収穫した穀物の特性を測定する測定装置を備え、
前記第４通信装置は、前記測定装置で測定した穀物の特性を、前記第２受信装置が受信した前記容器情報と共に外部に送信する請求項１１に記載の穀物管理システム。
【請求項１３】
前記管理装置は、前記第４通信装置が送信した穀物の特性及び前記容器情報を関連付けて記憶する請求項１２に記載の穀物管理システム。
【発明の詳細な説明】
【技術分野】
【０００１】
本発明は、例えば、収穫した穀物を管理する穀物管理システムに関する。
【背景技術】
【０００２】
稲や麦などの穀物は、コンバイン等の農業機械で収穫されて、収穫した穀物をコンテナ等の収容器に収容した後、当該収容器をライスセンターやカントリーエレベータなどの処理設備へ運搬して、当該処理設備で穀物の処理がされる。
処理設備では、当該処理設備に運搬された収容器の穀物を処理する際に、どの収容器に収容された穀物を処理しているかを把握することが望ましい。具体的には、処理設備において乾燥機に穀物を張り込む際に、どの収容器に入っている穀物が張り込まれたかを把握することが望ましい。
【０００３】
さて、穀物と当該穀物を収容している収容器との関係を把握することができる技術として、特許文献１に開示されているものが知られている。特許文献１に開示された農業支援システムは、穀物を入れる収容器を識別する識別情報を設定する情報設定手段と、農業機械の作業機位置及び収容器を運搬する運搬車の運搬車位置を取得する位置取得手段と、作業機位置及び運搬車位置に基づいて穀物情報と識別情報とを対応付ける対応付け手段とを備えている。
【先行技術文献】
【特許文献】
【０００４】
【特許文献１】特開２０１５−０９７４７８号公報
【発明の概要】
【発明が解決しようとする課題】
【０００５】
上述した農業支援システムでは、運搬車の運搬車位置と農業機械の作業機位置とが把握できる場合は、収容器の識別情報と穀物情報とを対応付けることができるため、穀物と当該穀物を収容している収容器との関係を把握することができる。しかしながら、農業支援システムでは、穀物と当該穀物を収容している収容器との関係を把握するためには、運搬車位置と作業機位置との両方の情報が必要であり、位置情報を取得できない環境では、穀物と収容器との関係を把握することができない。また、処理設備で直接、穀物の処理を行う前に収容器の識別情報を把握することが困難であった。
【０００６】
そこで本発明は、上記課題に鑑み、穀物を収容した収容器に関する容器情報を、穀物を処理する処理設備にて簡単に把握することができる農業管理システムを提供することを目的とする。
【課題を解決するための手段】
【０００７】
前記技術的課題を解決するために本発明が講じた技術的手段は、以下に示す点を特徴とする。
穀物管理システムは、穀物を収容する収容器に取付けられ、且つ当該収容器に関する容器情報をブロードキャスト信号として外部に出力する第１通信装置と、前記穀物を処理する処理設備に設けられ且つ、前記第１通信装置から送信された容器情報を受信する受信部を有する第１受信装置と、を備えている。
【０００８】
穀物管理システムは、前記第１受信装置が受信した前記容器情報である第１情報を外部に送信する第３通信装置を備えている。
穀物管理システムは、前記第３通信装置が送信した第１情報を取得し且つ取得した第１情報を時間と共に記憶する管理装置を備えている。
穀物管理システムは、穀物を収容する収容器に取付けられ、且つ当該収容器に関する容器情報をブロードキャスト信号として外部に送信する第１通信装置と、前記穀物を収穫する収穫機に設けられ且つ、前記第１通信装置から送信された容器情報を受信する受信部を有する第２受信装置と、を備えている。
【０００９】
穀物管理システムは、前記第２受信装置が受信した前記容器情報である第２情報を外部に送信する第４通信装置を備えている。
穀物管理システムは、前記第４通信装置が送信した第２情報を取得し且つ取得した第２情報を時間と共に記憶する管理装置を備えている。
穀物管理システムは、前記収穫機に設けられ且つ、前記収穫機で収穫した穀物の特性を測定する測定装置を備え、前記第４通信装置は、前記測定装置で測定した穀物の特性を、前記第２受信装置が受信した前記容器情報と共に外部に送信する。
【００１０】
穀物管理システムは、前記管理装置は、前記第４通信装置が送信した穀物の特性及び前記容器情報を関連付けて記憶する。
穀物管理システムは、穀物を収容する収容器に取付けられ、且つ当該収容器に関する容器情報をブロードキャスト信号として外部に送信する第１通信装置と、前記穀物を乾燥する乾燥機に設けられ且つ、前記第１通信装置から送信された容器情報を受信する受信部を有する第１受信装置と、前記穀物を収穫する収穫機に設けられ且つ、前記第１通信装置から送信された容器情報を受信する受信部を有する第２受信装置と、を備えている。
【００１１】
穀物管理システムは、前記第１受信装置が受信した第１情報を外部に送信する第３通信装置と、前記第２受信装置が受信した第２情報を外部に送信する第４通信装置と、を備えている。
穀物管理システムは、前記第３通信装置が送信した第１情報を取得し取得した第１情報を時間と共に記憶し、且つ、前記第４通信装置が送信した第２情報を取得し取得した第２情報を時間と共に記憶する管理装置を備えている。
【００１２】
穀物管理システムは、前記収穫機に設けられ且つ、前記収穫機で収穫した穀物の特性を測定する測定装置を備え、前記第４通信装置は、前記測定装置で測定した穀物の特性を、前記第２受信装置が受信した前記容器情報と共に外部に送信する。
穀物管理システムは、前記管理装置は、前記第４通信装置が送信した穀物の特性及び前記容器情報を関連付けて記憶する。
【発明の効果】
【００１３】
本発明によれば、穀物を収容した収容器に関する容器情報を、穀物を処理する処理設備にて簡単に把握することができる。
【図面の簡単な説明】
【００１４】
【図１】穀物管理システムの概略図である。
【図２】穀物管理システムのブロック図である。
【図３】第１通信装置をコンテナに取付けた図で、左側はコンテナの平面図、右側はコンテナの正面図を示している。
【図４】容器識別情報及び装置識別情報を表示した例を示す図である。
【図５Ａ】第２受信装置をコンバインに取付けた図である。
【図５Ｂ】第２受信装置をリフレクタに取付けた図である。
【図６Ａ】処理実績の例を示す図である。
【図６Ｂ】収穫実績の例を示す図である。
【図６Ｃ】生産実績の例を示す図である。
【発明を実施するための形態】
【００１５】
以下、本発明の実施の形態を図面に基づいて説明する。
［第１実施形態］
図１は、穀物管理システムの概略図を示している。
穀物管理システムは、農作物を管理するシステムである。以下、説明の便宜上、農作物は、稲、麦などの穀物であるとして説明を進める。当然の如く、農作物は、稲、麦に限定されない。
【００１６】
図１に示すように、穀物管理システムは、第１通信装置１０を備えている。第１通信装置１０は、穀物を収容する収容器１１に関する情報（容器情報）をブロードキャスト信号であるビーコンで外部に出力する。収容器１１は、フレキシブルコンテナバッグ（フレコン）、コンテナ等である。容器情報は、大きさ（縦、横、容量）の情報、或いは、収容器１１を識別するための識別情報（収容器１１を特定するための特定情報）を含む。この実施形態では、容器情報は、収容器１１を識別するための識別情報である。識別情報は、収
容器１１毎に個別に割り当てられたユニークな番号（管理番号）である。識別情報は、収容器１１を特定できるものであれば何でもよく、上述したものに限定されない。以降、説明の便宜上、容器情報は、識別情報であるとして説明を進める。
【００１７】
第１通信装置１０は、収容器１１に設けられている。図３に示すように、第１通信装置１０は、例えば、穀物を入れる開口部１１ａの付近に設けられている。詳しくは、収容器１１が矩形状のコンテナの場合、第１通信装置１０は、開口部１１ａを形成する周壁１１ｂの上部（開口部１１側）であって、内面に取付けられている。なお、第１通信装置１０は、コンテナの周壁１１ｂの上部の外面に取付けられていてもよいし、その他の箇所に取付けられていてもよい。
【００１８】
図２に示すように、第１通信装置１０は、記憶部１０ａと、電力供給部１０ｂと、出力部（以下、第１出力部という）１０ｃとを有している。記憶部１０ａは、例えば、不揮発性のメモリ等で構成され、識別情報を記憶している。
電力供給部１０ｂは、例えば、乾電池、ボタン電池等の一次電池、太陽電池等である。電力供給部１０ｂは、第１出力部１０ｃ等に接続されていて、当該第１出力部１０ｃに電力を供給する。第１出力部１０ｃは、ビーコンを出力する通信モジュールであって、記憶部１０ａに記憶された識別情報を示すビーコンを所定の間隔、例えば、数秒間隔で外部に出力する。第１出力部１０ｃが出力するビーコンの距離（出力距離）は、例えば、数ｃｍ〜数十ｃｍに設定されている。
【００１９】
なお、第１通信装置１０は、慣性力検知部１０ｄを有していてもよい。慣性力検知部１０ｄは、加速度センサなどである。慣性力検知部１０ｄと第１出力部１０ｃとは接続されており、第１出力部１０ｃは慣性力検知部１０ｄの信号によって作動する。例えば、加速度センサによって、収容器１１の振動を連続的に所定時間（例えば、数秒〜数十秒）以上検出した場合、第１出力部１０ｃは、収容器１１に穀物が入れられたとして、ビーコンを出力する。第１出力部１０ｃは、ビーコンの出力後、収容器１１の振動が連続的に続いている間は、ビーコンの出力を続ける。
【００２０】
一方、例えば、収容器１１の振動が連続的に所定時間（例えば、数秒〜数十秒）停止した場合、第１出力部１０ｃは、収容器１１の稼働が停止したとして、ビーコンの出力を停止する。したがって、第１通信装置１０に慣性力検知部１０ｄを設けた場合は、収容器１１に穀物が入れられている状態のみ、ビーコンを外部に出力することができるため、電力供給部１０ｂにおける電力の消費を抑えることができる。
【００２１】
図１及び図２に示すように、穀物管理システムは、第１受信装置１２を備えている。第１受信装置１２は、穀物を処理するライスセンター等の処理設備１８に設けられている。具体的には、第１受信装置１２は、処理設備１８に設置された乾燥機２０に設けられている。
まず、乾燥機２０について説明する。
【００２２】
乾燥機２０は、穀物（籾）を投入する投入部２０Ａと、穀物を一時的に貯留する貯留部２０Ｂと、貯留部２０Ｂで貯留された穀物が供給されて当該供給された穀物を乾燥する乾燥部２０Ｃと、循環部２０Ｄとを有している。循環部２０Ｄは、投入部２０Ａに投入された穀物を貯留部２０Ｂに運搬したり、乾燥部２０Ｃで乾燥した穀物を再び貯留部２０Ｂに戻す機構である。乾燥機２０は、当該乾燥機２０の制御を行う制御装置２０Ｅを有している。制御装置２０Ｅは、乾燥終了後の穀物の水分量等が予め設定された目標値となるように、乾燥部２０Ｃの乾燥温度や循環部２０Ｄの循環速度等を制御する。制御装置２０Ｅは、液晶パネル等の表示部２０ｅ１を有していて、様々な情報を表示部に表示することが可能である。
【００２３】
第１受信装置１２は、例えば、投入部２０Ａに取付けられている。投入部２０Ａがホッパーである場合、第１受信装置１２は、ホッパー２０Ａの上部に設けられた開口部２０Ａ１の近傍、即ち、ホッパー２０Ａの内面又は外面に取付けられている。第１受信装置１２は、ホッパー２０Ａの以外の箇所に取付けられていてもよいし、乾燥機２０の他の箇所に取付けられていてもよい。
図２に示すように、第１受信装置１２は、受信部１２ａと、出力部（以降、第２出力部と
いう）１２ｂとを有している。受信部１２ａは、ビーコンを受信する通信モジュールであって、ビーコンが受信可能である場合には、当該ビーコンを所定の間隔で受信する。第２出力部１２ｂは、受信部１２ａが受信したビーコンに含まれる情報（識別情報）を出力するモジュールである。第２出力部１２ｂは、受信部１２ａが受信した識別情報を、制御装置２０Ｅ、又は、処理設備１８のネットワークＮ１等に出力する。処理設備１８のネットワークＮ１には、パーソナルコンピュータ等の第２管理装置２１が接続されている。第２管理装置２１は、液晶パネル等の表示部２１ａを有していて、様々な情報を表示部２１ａに表示することが可能である。
【００２４】
なお、第１受信装置１２に、当該第１受信装置１２が取り付けられた装置（例えば、乾燥機２０）を識別する識別情報を予め記憶しておくことが望ましい。そして、第２出力部１２ｂは、収容器１１を識別する識別情報及び乾燥機２０を識別する識別情報を、制御装置２０Ｅ、又は、第２管理装置２１に出力する。以下、説明の便宜上、収容器１１を識別する識別情報のことを「容器識別情報」、乾燥機２０等の装置を識別する識別情報のことを、「装置識別情報」ということがある。
【００２５】
また、第１受信装置１２は、時刻等の時間を計時する計時部１２ｃを有していてもよい。この場合は、第２出力部１２ｂは、例えば、受信部１２ａがビーコンを受信した時刻などの時間情報を、受信部１２ａが受信した容器識別情報と共に出力する。さらに、第１受信装置１２が装置識別情報を記憶している場合は、第２出力部１２ｂは、時間情報、識別情報（容器識別情報、装置識別情報）を出力する。
【００２６】
さて、収穫された穀物は、収容器１１に入れられ、トラック等の運搬車２１によって、処理設備１８に運ばれる。収容器１１が処理設備１８に到着すると、当該収容器１１は運搬車２１から降ろされ、所定の乾燥機２０へと運ばれる。収容器１１が乾燥機２０に近づくと、当該収容器１１に取付けられた第１通信装置１０のビーコンを、所定の乾燥機２０に設けられた第１受信装置１２が受信することができる。そして、第１受信装置１２は、第１通信装置１０のビーコンから得られた収容器１１の容器識別情報等を、制御装置２０Ｅ又は第２管理装置２１に送信する。
【００２７】
即ち、収容器１１に収容した穀物を乾燥機２０に張り込む際に、乾燥機２０の第１受信装置１２が第１通信装置１０からの容器識別情報をビーコンによって受信できる。そのため、張り込み中の穀物が入った収容器１１の容器識別情報や装置識別情報を、図４に示すように、制御装置２０Ｅの表示部２０ｅ１又は第２管理装置２１の表示部２１ａによって、確認することができる。
【００２８】
このように、乾燥機２０は、張り込みされた穀物を収容していた収容器１１をビーコンによって特定することができるため、どの収容器１１の穀物が、どの乾燥機２０に張り込みされたかを確実に把握することができる。
上述した実施形態では、第１受信装置１２が受信した容器識別情報等を、処理設備１８の機器（制御装置２０Ｅ、第２管理装置２１）に出力していたが、当該処理設備１８の機器とは異なる外部機器に出力してもよい。外部機器は、処理設備１８の外部に設置されたコンピュータ［サーバ、携帯端末（スマートフォン、タブレット、ＰＤＡ等）］である。
【００２９】
図１、２に示すように、穀物管理システムは、第３通信装置１４を備えている。第３通信装置１４は、第１受信装置１２、制御装置２０Ｅ、第２管理装置２１、処理設備１８のネットワークＮ１のいずれかに接続されている。第３通信装置１４は、近距離、又は、長距離の通信を行う装置で構成され、外部機器と接続可能である。例えば、第３通信装置１４は、通信規格であるＩＥＥＥ８０２．１１シリーズのＷｉ-Ｆｉ（Wireless Fidelity、登録商標）等により無線通信を行う通信モジュール、携帯電話通信網により無線通信を行う通信モジュール、データ通信網により無線通信を行う通信モジュールのいずれかである。
【００３０】
第３通信装置１４は、第１受信装置１２が受信した容器識別情報を取得すると、当該容器識別情報を一時的に保持し、外部機器から識別情報の要求がある場合、又は、予め決められた時間になった場合に、保持した容器識別情報を外部機器に送信する。また、第１受信装置１２が計時部１２ｃを有している場合は、第３通信装置１４は、受信装置１２から
送信された容器識別情報及び時間情報を一時的に保持し、外部機器から容器識別情報の要求がある場合、又は、予め決められた時間になった場合に、保持した容器識別情報を外部機器に送信する。なお、第３通信装置１４は、容器識別情報と共に装置識別情報を送信してもよい。
【００３１】
したがって、第３通信装置１４が外部機器に対して少なくとも容器識別情報を送信しているため、外部機器においてもどの収容器１１の穀物がどの乾燥機２０に張り込みされたかを確実に把握することができる。
さて、穀物を収穫する収穫機４０に第２受信装置１３を設けてもよい。この実施形態では、収穫機４０はコンバインである。まず、コンバイン４０について説明する。
【００３２】
図１、図２に示すように、コンバイン４０は、機体４１と、走行装置４２と、運転席４３と、原動機４４と、グレンタンク４５と、刈取装置４６と、測定装置４７と、制御装置４８と、脱穀装置（図示省略）と、穀物排出部（アンローダ）４９とを有している。走行装置４２は機体の下部に設けられている。運転席４３、原動機４４、脱穀装置及びグレンタンク４５は機体４１に設けられている。刈取装置４６は、機体４１の前部に設けられている。刈取装置４６は、穀物を刈り取る装置である。脱穀装置は、刈り取った穀物を脱穀する装置である。グレンタンク４５は、脱穀された穀物を貯留するタンクである。制御装置４８は、原動機４４を制御したり、脱穀装置を制御したり、刈取装置４６を制御する装置である。
【００３３】
測定装置４７は、穀物の特性を測定可能な装置であって、穀物の水分量、タンパク量などを測定する装置である。具体的には、測定装置４７は、穀物に含まれる水分量を測定する水分測定部４７ａと、穀物のタンパク量を測定する食味測定部４７ｂとを有している。水分測定部４７ａ及び食味測定部４７ｂは、グレンタンク４５の内部、又は、グレンタンク４５の周囲に設けられている。
【００３４】
食味測定部４７ｂは、グレンタンク４５に入る穀物に対して近赤外線（近赤外線光）を照射して、透過光の分光分析に基づいて吸収スペクトルを解析し、その解析結果により、穀物に含まれるタンパク質等の成分量（タンパク質含有率）、即ち、タンパク量を求める。水分測定部４７ａは、穀物の誘電率を用いて当該穀物の水分量を測定したり、或いは、穀物の電気抵抗を用いて当該穀物の水分量（水分含有率）を測定したり、穀物に赤外線或いはマイクロ波等を照射することで水分量を測定するセンサ等である。水分検出装置１３は、水分を検出するものであればどのような装置であってもよい。
【００３５】
なお、測定装置４７は、穀物の収穫量を測定する収穫量測定部４７ｃを含んでいてもよい。収穫量測定部４７ｃは、グレンタンク４５の下部に設けられている。収穫量測定部４７ｃは、グレンタンク４５の重量を測定して当該グレンタンク４５の重量を収穫量に換算するロードセル等で構成されている。以下、説明の便宜上、穀物の水分量及びタンパク量とのことを「穀物特性情報」といい、当該穀物特性情報及び穀物の収穫量のことを「収穫情報」という。
【００３６】
穀物排出部（アンローダ）４９は、グレンタンク４５に貯留された穀物を外部に排出するもので、例えば、縦送り部４９ａと、横送り部４９ｂとを有している。縦送り部４９ａは機体４１の幅方向及び上下方向に揺動自在に支持されていて、所定の位置で停止させて、横送り部４９ｂの先端部に設けられた排出口４９ｂ１から穀物を排出する。
第２受信装置１３は、第１受信装置１２と同様に、第１通信装置１０から出力されたビーコン（容器識別情報）を受信する装置である。
【００３７】
第２受信装置１３は、横送り部４９ｂの先端部、即ち、排出口４９ｂ１の近傍に設けられている。図５Ａに示すように、横送り部４９ｂの先端部には下向きに開放された筒体４９ｂ２が設けられ、筒体４９ｂ２の内面により排出口４９ｂ１が形成されている。第２受信装置１３は、筒体４９ｂ２の外面に取付けられている。
なお、図５Ｂに示すように、筒体４９ｂ２に金属製のリフレクタ５０を設け、リフレクタ５０の内部に第２受信装置１３を設けてもよい。リフレクタ５０は、リフレクタ５０は四角錐の形状であって、横送り部４９ｂに装着された第１壁５０ａと、第１壁５０ｂと離間して設けられた第２壁５０ｂと、第１壁５０ａの幅方向一端と第２壁５０ｂの幅方向一
端とを連結する第３壁部５０ｃと、第１壁５０ａの幅方向一端と第２壁５０ｂの幅方向一端とを連結する第４壁部５０ｄと、を有している。第３壁部５０ｃ及び第４壁部５０ｄは下方にいくにしたがって幅方向に広がる傾斜面を含んでいる。第２受信装置１３は、第３壁部５０ｃ及び第４壁部５０ｄが連結する頂部の近傍に設けられている。
【００３８】
図２に示すように、第２受信装置１３は、受信部１３ａと、出力部（以降、第３出力部という）１３ｂとを有している。受信部１３ａは、ビーコンを受信する通信モジュールであって、ビーコンを所定の間隔で受信する。第３出力部１３ｂは、ビーコンを出力するモジュールである。第３出力部１３ｂは、受信部１３ａが受信したビーコン、即ち、受信部１３ａが受信した容器識別情報を、コンバイン４０に設けた第４通信装置１５に出力可能である。
【００３９】
なお、第２受信装置１３は、時刻等の時間を計時する計時部１３ｃを有していてもよい。この場合、第３出力部１３ｂは、例えば、受信部１３ａがビーコンを受信した時刻などの時間情報を第２受信装置１３が受信した容器識別情報と共に出力する。
第４通信装置１５は、第２受信装置１３に接続されている。また、第４通信装置１５は、少なくとも測定装置４７（食味測定部４７ｂ、水分測定部４７ａ及び収穫量測定部４７ｃ）に接続されている。第４通信装置１５は、近距離、又は、長距離の通信を行う装置で構成され、外部機器と接続可能である。例えば、第４通信装置１５は、通信規格であるＩＥＥＥ８０２．１１シリーズのＷｉ-Ｆｉ（Wireless Fidelity、登録商標）等により無線通信を行う通信モジュール、携帯電話通信網により無線通信を行う通信モジュール、データ通信網により無線通信を行う通信モジュールのいずれかである。
【００４０】
第４通信装置１５は、第２受信装置１３が受信した容器識別情報と、穀物の収穫時の穀物特性情報を、外部機器から識別情報の要求がある場合、又は、予め決められた時間になった場合に、外部に送信する。また、第２受信装置１３が計時部１３ｃを有している場合は、第４通信装置１５は、第２受信装置１３が受信した容器識別情報及び時間情報、穀物特性情報を、所定の間隔で外部に送信する。なお、第４通信装置は、穀物特性情報（穀物の水分量、穀物のタンパク量）に、穀物の収穫量も加えた収穫情報を外部に送信してもよい。
【００４１】
したがって、第２受信装置１３及び第４通信装置１５によって、少なくとも容器識別情報と穀物特性情報とを関連付けることができる。そのため、コンバイン４０でグレンタンク４５内の穀物を収容器１１に移し替えた場合、穀物を入れた収容器１１と、当該穀物の水分量及びタンパク量とを簡単に把握することができる。
穀物管理システムは、管理装置６０を備えている。管理装置６０は、ネットワークを介して様々な機器に接続することが可能なサーバである。管理装置６０は、第１受信装置１２が受信した容器識別情報（以降、第１情報）を取得可能である。
管理装置６０は、第３通信装置１４を介して少なくとも第１情報を取得する。例えば、第３通信装置１４は管理装置６０に所定時間毎に接続する。第３通信装置１４は、当該第３通信装置１４が取得した第１情報及び当該第１情報に対応する識別情報を管理装置６０に送信する。管理装置１４は、第３通信装置１４が送信した第１情報及び識別情報を取得する。なお、第３通信装置１４が第１情報及び識別情報の他に時間情報を管理装置６０に送信した場合は、管理装置６０は、第１情報、識別情報及び時間情報を取得することができる。
図６Ａに示すように、管理装置６０は、第３通信装置１４から受信した情報［第１情報（容器識別情報）、装置識別情報、時間情報］を、第１記憶部６０ａに処理設備１８の実績（処理実績）として記憶する。管理装置６０の第１記憶部６０ａに記憶した処理実績は、外部機器が当該管理装置６０にログインすることによって表示することが可能である。
また、管理装置６０は、第２受信装置１３が受信した容器識別情報（以降、第２情報）を取得する。管理装置６０は、第４通信装置１５を介して少なくとも第２情報を取得する。例えば、第４通信装置１５は管理装置６０に所定時間毎に接続する。第４通信装置１５は、当該第４通信装置１５が取得した第２情報及び当該第２情報に対応する穀物特性情報（穀物の水分量、穀物のタンパク量）を管理装置６０に送信する。管理装置１４は、第４通
信装置１５が送信した第２情報及び穀物特性情報を取得する。なお、第４通信装置１５が穀物特性情報の代わりに収穫情報（穀物の水分量、穀物のタンパク量、穀物の収穫量）を管理装置６０に送信した場合は、管理装置６０は、第２情報、収穫情報を取得することができる。
図６Ｂに示すように、管理装置６０は、第４通信装置１５から受信した情報（第２情報及び穀物特性情報、又は、第２情報及び収穫情報）を、第２記憶部６０ｂに収穫実績の実績（収穫実績）として記憶する。管理装置６０の第２記憶部６０ｂに記憶した収穫実績は、外部機器が当該管理装置６０にログインすることによって表示することが可能である。
管理装置６０は情報処理部６０ｃを有している。情報処理部６０ｃは、管理装置６０に格納されたプログラム等で構成されている。情報処理部６０ｃは、第１記憶部６０ａに記憶された処理実績と第２記憶部６０ｂに記憶された収穫実績とに基づいて、生産実績を求める。生産実績とは、処理設備で行った処理実績と、コンバイン４０で行った収穫実績とを合わせた情報である。情報処理部６０ｃは、処理実績及び収穫実績を読み込み、両者の実績で共通する容器識別情報（第１情報及び第２情報）をキーとして、処理実績と収穫実績とを合わせて、生産実績とする。例えば、図６Ａ及び図６Ｂに示すように、情報処理部６０ｃは、処理実績の第１情報で示された「Ｆ−１２５０」と、収穫実績の第２情報で示された「Ｆ−１２５０」とは共通であるため、共通の情報である「Ｆ−１２５０」を用いて、図６Ｃに示すように、処理実績と収穫実績とを合わせて、生産実績とする。
以上によれば、第１受信装置１２が受信した第１情報（容器識別情報）と、第２受信装置１３が受信した第２情報（容器識別情報）とを共通のキーとして、処理実績と収穫実績とを合わせた生産実績を求めることができる。即ち、収容器１１に第１通信装置１０を設けたことによって、処理設備１８で行った処理と、コンバイン４０で行った収穫とを結び付けて管理することができる。
なお、上述した実施形態は、乾燥機２０に第１受信装置１２を設けていたが、処理設備１８の他の装置に第１受信装置１２を設けてもよい。例えば、処理設備１８が放冷タンク、籾摺機、調製機、計量器を有している場合、放冷タンク、籾摺機、調製機、計量器のいずれかに第１受信装置１２を設けてもよい。或いは、処理設備１８において、収容器１１の受け入れを初めに行う装置、例えば、穀物の乾燥前に水分量等を測定する測定装置、収容器１１の穀物を処理する前に一時的に保管する保管装置に、第１受信装置１２を設けてもよい。
【００４２】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４３】
１０  第１通信装置
１１  収容器
１２  第１受信装置
１３  第２受信装置
１４  第３通信装置
１５  第４通信装置
１８  処理設備
６０  管理装置
６０ａ  第１記憶部
６０ｂ  第２記憶部
【図１】
2018106302.tif 000003
【図２】
2018106302.tif 000004
【図３】
2018106302.tif 000005
【図４】
2018106302.tif 000006
【図５Ａ】
2018106302.tif 000007
【図５Ｂ】
2018106302.tif 000008
【図６Ａ】
2018106302.tif 000009
【図６Ｂ】
2018106302.tif 000010
【図６Ｃ】
2018106302.tif 000011